(57)【要約】【課題】鍵盤楽器において、鍵盤蓋をより安全に取り扱うための構造を容易に設けることができるようにする。【解決手段】筐体１１と、筐体に対して揺動自在に設けられた鍵盤蓋１３と、鍵盤蓋の側面に対向する筐体の側板部２８の内面２８ａに設けられる第一係止部３１と、側板部の内面上に位置するように鍵盤蓋の側面に設けられ、鍵盤蓋が開いた位置ＯＰから閉じた位置ＣＬに移動する際に第一係止部に係止して、鍵盤蓋の閉じた位置への移動を阻止する第二係止部３２と、使用者が操作することで、第一係止部を、第二係止部に係止する係止位置Ｂ１と、第二係止部に係止しない退避位置との間で移動させる使用者操作部と、を備える鍵盤楽器１を提供する。【選択図】図１
2016040562.tif 000002
【特許請求の範囲】
【請求項１】
筐体と、
該筐体に対して揺動自在に設けられた鍵盤蓋と、
前記鍵盤蓋の側面に対向する前記筐体の側板部の内面に設けられる第一係止部と、
前記側板部の内面上に位置するように前記鍵盤蓋の側面に設けられ、前記鍵盤蓋が開いた位置から閉じた位置に移動する際に前記第一係止部に係止して、前記鍵盤蓋の前記閉じた位置への移動を阻止する第二係止部と、
使用者が操作することで、前記第一係止部及び前記第二係止部のうち一方の係止部を、他方の係止部に係止する係止位置と、他方の係止部に係止しない退避位置との間で移動させる使用者操作部と、
を備えることを特徴とする鍵盤楽器。
【請求項２】
前記一方の係止部を前記退避位置から前記係止位置に向けて付勢する付勢部を備えることを特徴とする請求項１に記載の鍵盤楽器。
【請求項３】
前記一方の係止部と前記使用者操作部とを連結し、前記使用者操作部の操作を前記一方の係止部の移動に変換するワイヤーを備え、
該ワイヤーは、前記筐体及び前記鍵盤蓋の少なくとも一方の内部に配されることを特徴とする請求項１又は請求項２に記載の鍵盤楽器。
【請求項４】
前記鍵盤蓋が、前記筐体に対して揺動自在に取り付けられ、前記鍵盤蓋が閉じた位置に配された状態で前記筐体に設けられた鍵盤部の上方側を覆う鍵盤蓋本体と、該鍵盤蓋本体に取り付けられ、前記鍵盤蓋が閉じた位置に配された状態で前記鍵盤部の前端側を覆う鍵盤蓋前付と、を備え、
前記鍵盤蓋前付が、前記使用者操作部であり、前記鍵盤蓋が閉じた位置に配された状態で前記鍵盤部の前端側を覆うための第一位置と、前記鍵盤蓋が開いた位置に配された状態で前記鍵盤蓋本体に対して重なるように折り畳まれる第二位置との間で、前記鍵盤蓋本体に対して回動自在とされ、
前記鍵盤蓋前付の前記第二位置から前記第一位置への移動に連動して、前記一方の係止部を前記係止位置から前記退避位置に移動させることを特徴とする請求項１から請求項３のいずれか一項に記載の鍵盤楽器。
【請求項５】
前記使用者操作部が、前記使用者の足によって踏み込まれていない状態で前記一方の係止部を前記係止位置に保持し、前記使用者の足によって踏み込まれることで、前記一方の係止部を前記係止位置から前記退避位置に移動させる係止部操作ペダルであることを特徴とする請求項１から請求項３のいずれか一項に記載の鍵盤楽器。
【発明の詳細な説明】
【技術分野】
【０００１】
本発明は、鍵盤楽器に関する。
【背景技術】
【０００２】
一般に、グランドピアノ、アップライトピアノ等のアコースティックピアノや、電子ピアノ等の鍵盤楽器は、鍵盤部を覆う鍵盤蓋を備える。従来、アコースティックピアノ、あるいは、アコースティックピアノと同様の外観意匠を有する電子ピアノでは、鍵盤蓋が木材からなるため、その重量は重い。このため、鍵盤蓋を開閉する際、特に閉じる際には、鍵盤蓋を慎重に取り扱う必要がある。
【０００３】
特許文献１には、ばね力によりロック位置に配され、鍵盤蓋を開いた位置にロックするストッパと、ばね力に抗してストッパをロック位置から移動させることで鍵盤蓋のロックを解除する解除部材と、を備える構成が開示されている。
この構成では、鍵盤楽器を扱う者（例えば演奏者）が解除部材を操作してストッパをロック位置から移動させることで、開いた位置に配された鍵盤蓋を閉じることが可能となる。すなわち、鍵盤楽器を扱う者に、鍵盤蓋を閉じる動作を強く意識させて、鍵盤蓋をより安全に閉じることを可能としている。
【先行技術文献】
【特許文献】
【０００４】
【特許文献１】特開平７−２８７５７７号公報
【発明の概要】
【発明が解決しようとする課題】
【０００５】
しかしながら、特許文献１に記載の構成では、ストッパや解除部材が鍵盤蓋の揺動軸近傍に設けられなければならず、ストッパや解除部材の配置が限定されるため、既存の鍵盤楽器に取りつけることが難しい、という問題がある。例えば、アコースティックピアノや、これと同様の外観意匠を有する電子ピアノでは、鍵盤楽器の筐体をなす前框や鍵盤蓋奥にストッパや解除部材を設けるための開口部を形成した上で、前框や鍵盤蓋奥の内側にストッパや解除部材を設ける必要がある。しかしながら、前框や鍵盤蓋奥の内側にはアクション機構やダンパ機構等の各種構造物が設けられるため、ストッパや解除部材の設置が難しい。
【０００６】
さらに、鍵盤楽器がアコースティックピアノの場合、鍵盤楽器の筐体をなす前框や鍵盤蓋奥に開口部を設けてしまうと、アコースティックピアノの音（アクション機構によって打弦された弦の振動に基づいて発生する音）の特性に影響を与えてしまう虞がある。また、アクション機構等の音（アクション機構の各部材の動きに伴って発生する音）が外部に漏れやすくなる虞もある。
【０００７】
本発明は、上述した事情に鑑みてなされたものであって、鍵盤蓋をより安全に取り扱うための構造を容易に設けることが可能な鍵盤楽器を提供することを目的とする。
【課題を解決するための手段】
【０００８】
上記課題を解決するために、本発明の鍵盤楽器は、筐体と、該筐体に対して揺動自在に設けられた鍵盤蓋と、前記鍵盤蓋の側面に対向する前記筐体の側板部の内面に設けられる第一係止部と、前記側板部の内面上に位置するように前記鍵盤蓋の側面に設けられ、前記鍵盤蓋が開いた位置から閉じた位置に移動する際に前記第一係止部に係止して、前記鍵盤蓋の前記閉じた位置への移動を阻止する第二係止部と、使用者が操作することで、前記第一係止部及び前記第二係止部のうち一方の係止部を、他方の係止部に係止する係止位置と、他方の係止部に係止しない退避位置との間で移動させる使用者操作部と、を備えることを特徴とする。
【０００９】
本発明の鍵盤楽器では、鍵盤蓋が開いた位置に配された状態で一方の係止部が係止位置に配されることで、鍵盤蓋を閉じる動作が阻止される。このため、鍵盤蓋を開いた位置から閉じた位置に移動させる場合には、鍵盤楽器を取り扱う使用者が使用者操作部を操作して、一方の係止部を係止位置から退避位置に移動させた上で、鍵盤蓋を閉じる動作を行う必要がある。すなわち、本発明の鍵盤楽器では、鍵盤蓋を閉じる動作を使用者に強く意識させて、鍵盤蓋をより安全に閉じることが可能となる。
【００１０】
また、本発明によれば、第一、第二係止部がそれぞれ側板部の内面、鍵盤蓋の側面に設けられるため、第一、第二係止部の設置箇所は、筐体の内部空間に設けられる構造物の制約を受けない。したがって、第一、第二係止部を容易に鍵盤楽器に取りつけることが可能となる。
さらに、本発明によれば、第一、第二係止部を側板部の内面や鍵盤蓋の側面に設けるため、従来のようにピアノの筐体の内部空間に連通する開口部を形成する必要がなくなる。すなわち、鍵盤楽器がアコースティックピアノである場合、アコースティックピアノの音の特性が影響を受けることを防止できる。さらに、筐体内部に設けられたアクション機構の音が外部に漏れることも抑制でき、アコースティックピアノの音を聞き取りやすくなる、という効果も奏する。
【００１１】
そして、前記鍵盤楽器においては、前記一方の係止部を前記退避位置から前記係止位置に向けて付勢する付勢部を備えてもよい。
この場合には、使用者が使用者操作部を操作して一方の係止部を移動させるなど、一方の係止部に外力が付与されない限り、一方の係止部が付勢部の付勢力によって係止位置に保持されるため、鍵盤蓋が開いた位置に配された状態において、鍵盤蓋を閉じる動作を確実に阻止できる。
【００１２】
また、前記鍵盤楽器において、前記一方の係止部と前記使用者操作部とを連結し、前記使用者操作部の操作を前記一方の係止部の移動に変換するワイヤーを備え、該ワイヤーが、前記筐体及び前記鍵盤蓋の少なくとも一方の内部に配されてもよい。
上記構成によれば、一方の係止部の設置箇所に関わらず、使用者操作部を自由な位置に配置することが可能となる。これにより、使用者操作部を例えば目立たない箇所に配置して、使用者操作部の設置による鍵盤楽器の外観意匠の低下を抑制することができる。
【００１３】
さらに、前記鍵盤楽器においては、前記鍵盤蓋が、前記筐体に対して揺動自在に取り付けられ、前記鍵盤蓋が閉じた位置に配された状態で前記筐体に設けられた鍵盤部の上方側を覆う鍵盤蓋本体と、該鍵盤蓋本体に取り付けられ、前記鍵盤蓋が閉じた位置に配された状態で前記鍵盤部の前端側を覆う鍵盤蓋前付と、を備え、前記鍵盤蓋前付が、前記使用者操作部であり、前記鍵盤蓋が閉じた位置に配された状態で前記鍵盤部の前端側を覆うための第一位置と、前記鍵盤蓋が開いた位置に配された状態で前記鍵盤蓋本体に対して重なるように折り畳まれる第二位置との間で、前記鍵盤蓋本体に対して回動自在とされ、前記鍵盤蓋前付の前記第二位置から前記第一位置への移動に連動して、前記一方の係止部を前記係止位置から前記退避位置に移動させてもよい。
【００１４】
また、前記鍵盤楽器においては、前記使用者操作部が、前記使用者の足によって踏み込まれていない状態で前記一方の係止部を前記係止位置に保持し、前記使用者の足によって踏み込まれることで、前記一方の係止部を前記係止位置から前記退避位置に移動させる係止部操作ペダルであってもよい。
【００１５】
これらの構成によれば、鍵盤楽器の外観意匠を損なうことなく、使用者操作部を設けることが可能となる。
また、これらの構成によれば、使用者は、鍵盤蓋をその両手で支持しながら使用者操作部を操作することが可能となる。したがって、使用者が片手で鍵盤蓋を支える場合と比較して、より安全に鍵盤蓋を閉じることが可能となる。
【発明の効果】
【００１６】
本発明によれば、鍵盤蓋を閉じる動作を使用者に強く意識させて、鍵盤蓋をより安全に閉じることができるため、鍵盤蓋をより安全に取り扱うことができる。
また、本発明によれば、鍵盤蓋をより安全に取り扱うための構造を容易に鍵盤楽器に取りつけることができる。
さらに、本発明によれば、鍵盤蓋をより安全に取り扱うための構造を設けても、アコースティックピアノの音の特性に影響を与えることを防ぎ、また、アクション機構等の音が外部に漏れることも抑制できる。
【図面の簡単な説明】
【００１７】
【図１】本発明の第一実施形態に係るピアノの要部を示す側断面図である。
【図２】図１に示すピアノにおいて、鍵盤蓋を開放位置に配した状態における第一係止部と第二係止部との係止状態を腕木の内面側から見た状態を示す要部拡大図である。
【図３】図２のIII−III矢視断面図である。
【図４】本発明の第二実施形態に係るピアノの要部を示す側断面図である。
【発明を実施するための形態】
【００１８】
［第一実施形態］
以下、図１〜３を参照して本発明の第一実施形態について説明する。
図１に示すように、この実施形態に係るピアノ（鍵盤楽器）１は、アコースティックピアノの一種であるアップライトピアノであり、従前のピアノと同様に構成されている。すなわち、ピアノ１は、筐体１１、鍵盤部１２、鍵盤蓋１３、ハンマ１４、弦（打撃対象）１５、アクション機構１６、ダンパ機構１７等を備える。
鍵盤部１２は、演奏者の手指によって演奏操作がなされる複数の鍵２４を配列したものであり、各鍵２４は筐体１１の棚板２１上に筬２９を介して揺動自在に設けられている。また、各鍵２４の一端部（前端部）は、筐体１１の前面側（図１において右側）において外部に露出している。
【００１９】
鍵盤蓋１３は、鍵盤部１２のうち筐体１１の外部に露出する部分を覆うものであり、鍵盤部１２を覆うカバー位置（閉じた位置）ＣＬと、鍵盤部１２を外部に露出させる開放位置（開いた位置）ＯＰとの間で、筐体１１の鍵盤蓋奥２２に対して回転自在に設けられている。
本実施形態の鍵盤蓋１３は、鍵盤部１２の上方側を覆う鍵盤蓋本体２６と、鍵盤部１２の前端側（図１において鍵の右端側）を覆う鍵盤蓋前付２７と、を備える。
【００２０】
鍵盤蓋本体２６は、筐体１１に対して回転軸２０を中心に揺動自在に取り付けられている。一方、鍵盤蓋前付２７は、回転軸２０から延びる鍵盤蓋本体２６の延在方向先端部に取り付けられている。この鍵盤蓋前付２７は、鍵盤蓋１３がカバー位置ＣＬに配された状態で鍵盤部１２の前端側を覆う第一位置Ａ１と、鍵盤蓋１３が開放位置ＯＰに配された状態で鍵盤蓋本体２６に対して重なるように折り畳まれる第二位置Ａ２との間で、鍵盤蓋本体２６に対して回動自在とされている。
【００２１】
ハンマ１４、弦１５及びアクション機構１６は、いずれも筐体１１内部に設けられている。ハンマ１４は、弦１５を打撃するものである。アクション機構１６は、演奏者の手指による鍵２４の押鍵力を、ハンマ１４が弦１５を打撃する打弦力（打撃力）に変換する機構である。
ダンパ機構１７は、鍵２４の押鍵力や、演奏者の足によるダンパペダル（不図示）の踏込力を、弦１５上のダンパ１８を弦１５から離す離弦力に変換する機構である。
【００２２】
前述した鍵盤蓋１３は、開放位置ＯＰに配された状態において、アクション機構１６と演奏者の頭部（不図示）との間に位置する。本実施形態のピアノ１では、アクション機構１６が、筐体１１内部に配された鍵２４の後端部の上方において、筐体１１の前面側をなす上前板２３の内面に対向するように位置する。一方、開放位置ＯＰに配された鍵盤蓋１３は、上前板２３の外面を覆うように位置する。
【００２３】
さらに、本実施形態のピアノ１は、図１〜３に示すように、鍵盤蓋１３を開放位置ＯＰからカバー位置ＣＬへの移動を阻止するための第一係止部３１及び第二係止部３２と、第一係止部３１を操作する使用者操作部３３と、を備える。
第一係止部３１は、カバー位置ＣＬに配された鍵盤蓋１３の側面に対向する筐体１１の腕木（側板部）２８の内面２８ａに設けられている。第一係止部３１は、腕木２８の内面２８ａから突出して後述する第二係止部３２に係止する係止位置Ｂ１と、腕木２８の内面２８ａから腕木２８の内部に没入して第二係止部３２に係止しない退避位置Ｂ２との間で、移動可能とされている。
【００２４】
腕木２８の内部には、上記した第一係止部３１を退避位置Ｂ２から係止位置Ｂ１に向けて付勢する付勢部３４が設けられている。これにより、第一係止部３１は、これに外力が加えられない限り、付勢部３４の付勢力によって係止位置Ｂ１に保持される。図３では、付勢部３４がコイルスプリングによって構成されているが、例えばゴム等の他の弾性部材によって構成されてもよい。
また、本実施形態では、第一係止部３１が、腕木２８の内面２８ａのうち鍵２４よりも上方側の領域に設けられている。
【００２５】
使用者操作部３３は、演奏者などピアノ１を取り扱う使用者が操作することで、第一係止部３１を係止位置Ｂ１と退避位置Ｂ２との間で移動させるものである。使用者操作部３３は、第一係止部３１に一体に固定され、腕木２８のうち内面２８ａと逆側に向く外面から突出している。使用者操作部３３のうち腕木２８から外部に突出する部分は、使用者が把持する部分となる。図３では、使用者操作部３３が単純な棒状に形成されているが、これに限ることはなく、例えば使用者が把持しやすい形状に形成されてもよい。
【００２６】
第二係止部３２は、鍵盤蓋１３が開放位置ＯＰからカバー位置ＣＬに移動する際に前述した第一係止部３１に係止することで、鍵盤蓋１３のカバー位置ＣＬへの移動を阻止するものである。
第二係止部３２は、腕木２８の内面２８ａ上に位置するように鍵盤蓋１３の側面に設けられている。本実施形態の第二係止部３２は、帯板状に形成され、鍵盤蓋１３の回転軸２０に対して鍵盤蓋本体２６と逆向きに延びるように配されている。これにより、第二係止部３２は、鍵盤蓋１３の開閉動作に応じて、腕木２８の内面２８ａに沿って移動（回動）する。
【００２７】
そして、第二係止部３２は、その延出方向の先端部が、鍵盤蓋１３の開閉動作に応じて、腕木２８の内面２８ａのうち第一係止部３１を設けた領域を通過するように設けられている。これにより、第一係止部３１が係止位置Ｂ１に配された状態において、開放位置ＯＰに配された鍵盤蓋１３を開放位置ＯＰからカバー位置ＣＬに向けて移動させようとしても、第二係止部３２の延出方向の先端部が第一係止部３１に係止するため、鍵盤蓋１３のカバー位置ＣＬへの移動が阻止される。
【００２８】
また、本実施形態では、上記した第二係止部３２が第一係止部３１に係止した状態で、鍵盤蓋１３の自重による応力が第二係止部３２と第一係止部３１との係止部分に発生しないように、上記した第一係止部３１の設置位置が設定されている。以下、具体的に説明する。
本実施形態の鍵盤蓋１３は、その開閉経路の途中に自重による回転トルクの向きが変わる変曲点を有している。この変曲点では、回転軸２０を通る鉛直線上に鍵盤蓋１３の重心位置が位置するため、鍵盤蓋１３に自重による回転トルクが発生しない。一方で、鍵盤蓋１３が変曲点よりも手前側（カバー位置ＣＬ側）に倒れると、鍵盤蓋１３に自重による回転トルクが閉じる方向に発生する。また、鍵盤蓋１３が変曲点よりも奥側（開放位置ＯＰ側）に倒れると、鍵盤蓋１３に自重による回転トルクが開く方向に発生する。
【００２９】
上記のように設けられる鍵盤蓋１３に対し、本実施形態の第一係止部３１の設置位置は、上記した変曲点から開放位置ＯＰに至る鍵盤蓋１３の移動領域に対応する位置に配された第二係止部３２に係止するように設定されている。
図１，２において、第一係止部３１の設置位置は、鍵盤蓋１３が開放位置ＯＰに配された状態で第二係止部３２に係止するように設定されているが、これに限ることはない。第一係止部３１の設置位置は、例えば鍵盤蓋１３が開放位置ＯＰと変曲点との間に配された状態で第二係止部３２に係止するように設定されてもよい。
【００３０】
また、本実施形態の第二係止部３２は、第一係止部３１に係止した状態で第一係止部３１と第二係止部３２との接触面積が大きくなるように、前記第一係止部３１の側部を囲む鉤状に形成されている。
本実施形態では、第一係止部３１が腕木２８の内面２８ａ側から見た平面視で矩形状に形成されている。これに対し、第二係止部３２は、平面視矩形状に形成された第一係止部３１のうち、筐体１１の前方側（図１，２において右側）に向く第一側面３１ａ、及び、第一側面３１ａに対して直角に隣り合って筐体１１の上方側に向く第二側面３１ｂの両方に接触するように、直角に屈曲する鉤状に形成されている。上記した第一係止部３１の第一側面３１ａは、鍵盤蓋１３の開放位置ＯＰからカバー位置ＣＬへの移動に伴って、第二係止部３２が移動する方向に対向する面である。
【００３１】
また、本実施形態では、鍵盤蓋１３のカバー位置ＣＬから開放位置ＯＰへの移動に伴う第二係止部３２の移動方向に対向する第一係止部３１の第三側面３１ｃが、第一係止部３１の突出方向に向かうにしたがって、鍵盤蓋１３のカバー位置ＣＬから開放位置ＯＰへの移動に伴う第二係止部３２の移動方向に傾斜する傾斜面となっている。
これにより、鍵盤蓋１３をカバー位置ＣＬから開放位置ＯＰに移動させる際に第一係止部３１が係止位置Ｂ１に配されていても、第二係止部３２が傾斜面である第一係止部３１の第三側面３１ｃに押し付けられることで、第一係止部３１が付勢部３４の付勢力に抗って退避位置Ｂ２に移動する。すなわち、鍵盤蓋１３のカバー位置ＣＬから開放位置ＯＰへの移動が、第一係止部３１によって阻害されることを防止できる。なお、第二係止部３２が第一係止部３１上を通過して第一側面３１ａ側に到達すると、第一係止部３１は付勢部３４の付勢力によって退避位置Ｂ２から係止位置Ｂ１に復帰する。
【００３２】
以上のように構成される本実施形態のピアノ１では、鍵盤蓋１３をカバー位置ＣＬから開放位置ＯＰまで移動させる際に、第一係止部３１が係止位置Ｂ１に配されていても、鍵盤蓋１３及び第二係止部３２の移動が第一係止部３１によって妨げられることはない。すなわち、本実施形態のピアノ１では、従来のピアノと同様に、鍵盤蓋１３を開放位置ＯＰまで移動させることができる。
一方、鍵盤蓋１３が開放位置ＯＰに配された状態では、第一係止部３１が係止位置Ｂ１に配されることで鍵盤蓋１３を閉じる動作が阻止される。このため、鍵盤蓋１３を開放位置ＯＰからカバー位置ＣＬまで移動させる際には、使用者が使用者操作部３３を操作して、第一係止部３１を係止位置Ｂ１から退避位置Ｂ２に移動させた上で、鍵盤蓋１３を閉じる動作を行う必要がある。
【００３３】
以上説明したように、本実施形態のピアノ１によれば、鍵盤蓋１３を開放位置ＯＰからカバー位置ＣＬまで移動させる際には、使用者が使用者操作部３３を操作して、第一係止部３１を係止位置Ｂ１から退避位置Ｂ２に移動させた上で、鍵盤蓋１３を閉じる必要があるため、鍵盤蓋１３を閉じる動作を使用者に強く意識させて、鍵盤蓋１３をより安全に閉じることが可能となる。すなわち、鍵盤蓋１３をより安全に取り扱うことができる。
【００３４】
また、本実施形態のピアノ１によれば、第一係止部３１が腕木２８の内面２８ａに設けられ、第二係止部３２が鍵盤蓋１３の側面に設けられるため、第一、第二係止部３１，３２の設置箇所が筐体１１の内部空間に設けられる構造物（本実施形態では、アクション機構１６やダンパ機構１７など）の制約を受けない。したがって、第一、第二係止部３１，３２を容易にピアノ１に取りつけることが可能となる。すなわち、鍵盤蓋１３をより安全に取り扱うための構造を容易にピアノ１に取りつけることができる。
【００３５】
さらに、本実施形態のピアノ１によれば、従来のように筐体１１の内部空間に連通する開口部を形成することなく、第一、第二係止部３１，３２を設けることが可能である。したがって、アコースティックピアノとしての音の特性が影響を受けることも防止できる。また、筐体１１内部に設けられたアクション機構１６やダンパ機構１７などの音が外部に漏れることも防止できるため、アコースティックピアノとしての音を聞き取りやすくなる、という効果も奏する。
【００３６】
また、本実施形態のピアノ１によれば、使用者が使用者操作部３３を操作して第一係止部３１を移動させるなど、第一係止部３１に外力が付与されない限り、第一係止部３１が付勢部３４の付勢力によって係止位置Ｂ１に保持されるため、鍵盤蓋１３が開放位置ＯＰに配された状態において鍵盤蓋１３を閉じる動作を確実に阻止できる。
【００３７】
さらに、本実施形態のピアノ１によれば、鍵盤蓋１３がその開閉経路のうち変曲点から開放位置ＯＰに至る鍵盤蓋１３の移動領域に配された状態で、第二係止部３２が第一係止部３１に係止するため、第二係止部３２が鍵盤蓋１３の自重によって第一係止部３１に押し付けられることがない。すなわち、鍵盤蓋１３の自重に基づく応力が第一係止部３１と第二係止部３２との係止部分に発生しないため、第一係止部３１及び第二係止部３２の保護を図ることができる。また、第一係止部３１及び第二係止部３２を剛性の低い材料により形成して、低コスト化を図ることも可能となる。
【００３８】
上記第一実施形態において、鍵盤蓋本体２６及び鍵盤蓋前付２７は、別個に形成されて相互に回動自在に連結されているが、例えば一体に形成されていてもよい。
【００３９】
［第二実施形態］
次に、図４を参照して本発明の第二実施形態について説明する。
この実施形態では、第一実施形態と比較して、第一係止部、第二係止部、使用者操作部の構成のみが異なっており、その他の構成については第一実施形態と同様である。本実施形態では、第一実施形態と同一の構成要素について同一符号を付す等して、その説明を省略する。
【００４０】
図４に示すように、この実施形態のピアノ（鍵盤楽器）１Ａは、第一実施形態と同様に、鍵盤蓋１３を開放位置ＯＰからカバー位置ＣＬへの移動を阻止するための第一係止部５１及び第二係止部５２と、第一係止部５１を操作する使用者操作部５３と、を備える。
第一係止部５１は、第一実施形態と同様に、鍵盤蓋１３の側面に対向する筐体の腕木２８の内面２８ａに設けられる。ただし、本実施形態の第一係止部５１は、腕木２８の内面２８ａから突出する突起であり、腕木２８に固定されている。
【００４１】
第二係止部５２は、第一実施形態と同様に、鍵盤蓋１３が開放位置ＯＰからカバー位置ＣＬに移動する際に第一係止部５１に係止することで、鍵盤蓋１３のカバー位置ＣＬへの移動を阻止するものである。また、第二係止部５２は、帯板状に形成され、鍵盤蓋１３の回転軸２０に対して鍵盤蓋本体２６と逆向きに延びるように配される。ただし、本実施形態の第二係止部５２は、第一係止部５１に係止する係止位置Ｃ１と、第一係止部５１に係止しない退避位置Ｃ２との間で移動可能とされている。
【００４２】
本実施形態の第二係止部５２は、第一実施形態の第二係止部３２と同様に帯板状に形成された本体部５４と、本体部５４の延在方向先端に回動自在に設けられる鉤状部５５と、を備える。そして、鉤状部５５は、本体部５４に対して上記した係止位置Ｃ１と退避位置Ｃ２との間で回動可能とされている。鉤状部５５は、概ねＣ字状に屈曲あるいは湾曲して形成されている。鉤状部５５が係止位置Ｃ１に配された状態では、鉤状部５５の先端部５５Ａが、本体部５４の延在方向先端から同じ方向に延長する鉤状部５５の基端部５５Ｂに対し、鍵盤蓋１３を開く方向に間隔をあけて対向する。
【００４３】
鍵盤蓋１３が開放位置ＯＰに配され、かつ、鉤状部５５が係止位置Ｃ１に配された状態では、第一係止部５１が、鍵盤蓋１３を閉じる方向に対応する鉤状部５５の先端部５５Ａの移動方向前側に位置する。これにより、鍵盤蓋１３のカバー位置ＣＬへの移動が阻止される。一方、鍵盤蓋１３が開放位置ＯＰに配され、かつ、鉤状部５５が退避位置Ｃ２に配された状態では、第一係止部５１が鉤状部５５の移動方向前側に位置しないため、鍵盤部のカバー位置ＣＬへの移動は阻止されない。
【００４４】
本実施形態の使用者操作部５３は、鍵盤蓋１３の鍵盤蓋前付２７である。本実施形態では、鍵盤蓋前付２７が、その第二位置Ａ２から第一位置Ａ１への移動に連動して、第二係止部５２を係止位置Ｃ１から退避位置Ｃ２に移動させるように、第二係止部５２の鉤状部５５に連結されている。
本実施形態では、第二係止部５２の鉤状部５５と鍵盤蓋前付２７とがワイヤー５６によって連結されている。ワイヤー５６は、鍵盤蓋本体２６内部に配されている。ワイヤー５６の一端は、回転軸２０側に位置する鍵盤蓋本体２６の基端部から突出し、鉤状部５５の基端部５５Ｂに固定されている。また、ワイヤー５６の他端は、鍵盤蓋前付２７側に位置する鍵盤蓋本体２６の先端部から突出し、鍵盤蓋前付２７のうち第一位置Ａ１に配された状態で鍵盤蓋本体２６の先端部に当接する部分に固定されている。このワイヤー５６は、鍵盤蓋前付２７の操作を第二係止部５２の鉤状部５５の移動に変換する役割を果たす。具体的に、ワイヤー５６は、鍵盤蓋前付２７の第一位置Ａ１から第二位置Ａ２への移動を、第二係止部５２の鉤状部５５の退避位置Ｃ２から係止位置Ｃ１への移動に変換する。
【００４５】
以上のように構成される本実施形態のピアノ１Ａにおいて、鍵盤蓋１３をカバー位置ＣＬから開放位置ＯＰまで移動させる際には、まず、使用者が鍵盤蓋前付２７を第一位置Ａ１に保持したままで鍵盤蓋１３を開放位置ＯＰまで移動させればよい。この際には、第二係止部５２の鉤状部５５が退避位置Ｃ２に配されるため、鍵盤蓋１３の開放位置ＯＰへの移動が第一係止部５１によって阻害されることはない。
そして、鍵盤蓋１３を開放位置ＯＰに到達させた後には、使用者が鍵盤蓋前付２７を第一位置Ａ１から第二位置Ａ２に移動させればよい。これにより、第二係止部５２の鉤状部５５が退避位置Ｃ２から係止位置Ｃ１に移動し、第一係止部５１に係止される。この状態では、鍵盤蓋１３を閉じる動作が阻止される。
このため、鍵盤蓋１３を開放位置ＯＰからカバー位置ＣＬまで移動させる際には、使用者が鍵盤蓋前付２７を第二位置Ａ２から第一位置Ａ１に移動させることで第二係止部５２を係止位置Ｃ１から退避位置Ｃ２に移動させた上で、鍵盤蓋１３を閉じる動作を行う必要がある。
【００４６】
以上説明したように、本実施形態のピアノ１Ａによれば、第一実施形態と同様の効果を奏する。
また、本実施形態のピアノ１Ａによれば、使用者操作部５３が鍵盤蓋前付２７であることで、使用者は、鍵盤蓋１３をその両手で支持しながら使用者操作部５３を操作することが可能となる。
さらに、本実施形態のピアノ１Ａによれば、使用者操作部５３が鍵盤蓋前付２７であるため、また、鍵盤蓋前付２７及び第二係止部５２がワイヤー５６によって連結されると共にワイヤー５６が鍵盤蓋１３の内部に配されるため、ピアノ１Ａの外観意匠を損なうことなく、使用者操作部５３を設けることができる。
【００４７】
上記第二実施形態の構成は、第一実施形態のピアノ１にも適用可能である。例えば第二実施形態のワイヤー５６は、第一実施形態の第一係止部３１と使用者操作部３３とを連結してもよい。この場合、ワイヤー５６は、筐体１１内部に配されるとよい。
この構成では、使用者操作部３３を腕木２８の外面から突出して設けることに限らず、筐体１１の任意の外面から突出させることが可能となる。すなわち、第一係止部３１の設置箇所に関わらず使用者操作部３３を自由な位置に配置することが可能となる。したがって、使用者操作部３３を例えば棚板２１の下面等のように目立たない箇所に配置して、使用者操作部３３の設置によるピアノ１の外観意匠の低下を抑制することができる。
【００４８】
また、上記第二実施形態の第一係止部５１は、例えば第一実施形態の第一係止部３１と同様に構成されてもよい。この場合には、鍵盤蓋１３をカバー位置ＣＬから開放位置ＯＰに移動させる際に第二係止部５２の鉤状部５５が係止位置Ｃ１に配されていても、鉤状部５５が第一係止部５１に押し付けられることで、第一係止部５１を付勢部３４（図３参照）の付勢力に抗って腕木２８の内面２８ａから内部に退避させることができる。すなわち、鍵盤蓋１３のカバー位置ＣＬから開放位置ＯＰへの移動が、第一係止部５１によって阻害されることを防止できる。
【００４９】
以上、二つの実施形態により本発明について詳細に説明したが、本発明は上記実施形態に限定されるものではなく、本発明の趣旨を逸脱しない範囲において種々の変更を加えることが可能である。
例えば、使用者操作部３３，５３は、上記実施形態のように使用者の手によって操作されるものに限らず、使用者の足によって操作されるものであってもよい。使用者操作部３３，５３は、例えば使用者の足によって踏み込まれる係止部操作ペダルであってもよい。
この場合、係止部操作ペダルは、使用者の足によって踏み込まれていない状態で第一実施形態の第一係止部３１あるいは第二実施形態の第二係止部５２を係止位置Ｂ１，Ｃ１に保持し、使用者の足によって踏み込まれることで、第一実施形態の第一係止部３１あるいは第二実施形態の第二係止部５２を係止位置Ｂ１，Ｃ１から退避位置Ｂ２，Ｃ２に移動させるものであるとよい。
【００５０】
上記のように係止部操作ペダルを機能させるためには、係止部操作ペダルと第一実施形態の第一係止部３１あるいは第二実施形態の第二係止部５２とを、例えば第二実施形態と同様のワイヤー５６により連結すればよい。係止部操作ペダルが第一実施形態の第一係止部３１に連結される場合、ワイヤー５６は筐体１１の内部に配されるとよい。また、係止部操作ペダルが第二実施形態の第二係止部５２に連結される場合、ワイヤー５６は筐体１１及び鍵盤蓋１３の両方の内部に配されるとよい。
【００５１】
使用者操作部３３，５３を係止部操作ペダルとする上記構成では、鍵盤蓋１３を開放位置ＯＰからカバー位置ＣＬに移動させる際に、使用者がその足で係止部操作ペダルを踏み込むことで、第一実施形態の第一係止部３１あるいは第二実施形態の第二係止部５２を係止位置Ｃ１から退避位置Ｃ２に移動させることができるため、使用者は、鍵盤蓋１３をその両手で支持しながらより安全に閉じることができる。
また、使用者操作部３３，５３を係止部操作ペダルとする構成では、係止部操作ペダルを従前のピアノに備わるダンパーペダル、シフトペダル等の他のペダルに隣り合せて目立たないように配置することができ、ピアノの外観意匠の低下を抑制することが可能である。
【００５２】
さらに、上記実施形態では、第一係止部３１，５１が、腕木２８の内面２８ａのうち鍵２４よりも上方側の領域に設けられているが、例えば鍵２４よりも下方側の領域（具体的には鍵２４と筬２９との間の領域）に設けられてもよい。この場合には、第一係止部３１，５１が演奏者から見えない位置に配されるため、ピアノ１，１Ａの良好な外観意匠を保つことができる。
【００５３】
さらに、本発明は、上記実施形態のようなアップライトピアノに適用されることに限らず、例えばグランドピアノに適用することも可能である。この場合、第一係止部３１，５１は、グランドピアノの筐体を構成する側板（側板部）のうち鍵盤蓋１３の側面に対向する内面に設けられればよい。
また、本発明は、アップライトピアノやグランドピアノ等のように弦１５をハンマ１４により打撃するアコースティックピアノに適用されることに限らず、例えば、アコースティックピアノと同様の外観意匠を有する電子ピアノにも適用することが可能である。なお、本発明は、電子ピアノのうちアコースティックピアノと同様のアクション機構１６、ハンマ１４、及び、ハンマ１４により打撃される打撃対象（例えば発音用のセンサ）を備えるものに適用されることが特に有用である。
【符号の説明】
【００５４】
１，１Ａ…ピアノ（鍵盤楽器）、１１…筐体、１２…鍵盤部、１３…鍵盤蓋、２６…鍵盤蓋本体、２７…鍵盤蓋前付、２８…腕木（側板部）、２８ａ…内面、３１，５１…第一係止部、３２，５２…第二係止部、３３，５３…使用者操作部、５６…ワイヤー、Ａ１…第一位置、Ａ２…第二位置、Ｂ１，Ｃ１…係止位置、Ｂ２，Ｃ２…退避位置、ＣＬ…カバー位置（閉じた位置）、ＯＰ…開放位置（開いた位置）
【図１】
2016040562.tif 000003
【図２】
2016040562.tif 000004
【図３】
2016040562.tif 000005
【図４】
2016040562.tif 000006